(57)【要約】【課題】従来、住宅・病院・養護施設等建物の廊下の壁には、歩行の安全を確保するために手摺りが付けられているが、各部屋への出入口の部分は手摺りが途切れていて頼れるものがない。特に引き戸に於ては、引き戸の表面に手摺りが少しでも出っ張っていると、手摺りが戸枠にぶつかるので手摺りを付けることができない。そこでこの状況を考慮して考え出された発明も幾つか見受けられるが、どの技術も利用されるには至っていない。【解決手段】この発明は上記の課題を解消するために次のような構成としている。即ち固定板２２と回動支持体２４と係止具２６備えたブラケット２１は、固定板２２によって引き戸１の適宜な高さにビス固定していて、手摺り棒１１は基端部１２を前記係止具２６によってブラケット２１に固定され、且つ他端部１３は竪枠Ｂ６に設た受け具３１によって水平に保持されている。そしてこの他端部は引き戸の開閉動作に連動して竪枠Ｂ６に沿って上下摺動するものであ【選択図】図１
2010216217.tif 000002
【特許請求の範囲】
【請求項１】
手摺り棒とブラケットから成る引き戸用手摺りにおいて、固定板に回動自在の支持体を備えたブラケットを手摺り棒の基端部に構成し、且手摺り棒の他端部は構築物又は竪枠等に設けた受け具によって保持され、この他端部は引き戸の開閉動作に連動して構築物又は竪枠等に沿って上下動する事を特長とした、引き戸用手摺り。
【請求項２】
支持体の回動軸芯と手摺り芯をずらして構成した、特許請求の範囲第１項記載の引き戸用手摺り。
【請求項３】
支持体の回動芯と手摺棒の芯とを同じ高さに構成した、特許請求の範囲第１項記載の引き戸用手摺り。
【請求項４】
手摺り棒の受け具側にガイドローラーを備えた、特許請求の範囲第１項記載の引き戸用手摺り。
【請求項５】
ガイドローラーと手摺り棒を別体に構成した、特許請求の範囲第１項記載の引き戸用手摺り。
【請求項６】
受け具に曲り部を有するガイドレールを備えた、特許請求の範囲第１項記載の引き戸用手摺り。
【発明の詳細な説明】
【技術分野】
【０００１】  この発明は、高齢者や傷病者等の歩行を助けるための手摺りであって、引き戸の表面に取りつけても戸の開閉が出来る手摺りに関する。
【背景技術】
【０００２】  従来、住宅・病院・養護施設等建物の廊下の壁には、歩行の安全を確保するために手摺りが付けられているが、各部屋への出入口の部分は手摺りが途切れていて頼れるものがない。扉がドアーのように蝶番によって開閉する場合は、扉に手摺りが付けられていても扉の開閉に何ら支障はないので、稀に手摺りが付けられている事もある。またドアーの取っ手の形を変えて手摺りと兼用できるものまである。しかし、開閉の為の構造がレールと戸車による引き戸の場合には、手摺りが戸の表面から少しでも出っ張っていると、手摺りが戸枠にぶつかるので戸を開けることができない。この状況を考慮して考え出された発明は幾つも見受けられるが、どの技術も利用されるには至っていない。
【先行技術文献】
【特許文献】
【０００３】
【特許文献１】  特許公開平１０−９６３７５
【特許文献２】  特許公開平１１−２３６７５５
【発明の概要】
この発明は、高齢者や傷病者等の歩行の安全をを補助するための手摺りであって、引き戸の表面に取りつけても戸の開閉が出来るようにするために、引き戸の開き側の表面に固定板と回動自在の支持体と係止具を備えたブラケットを取り付け、手摺り棒の基端部は係止具を介してブラケットに固定し、且手摺り棒の他端部は壁又は竪枠等に設けた受け具によって水平に保持される。そしてこの他端部は引き戸の開閉動作に連動して壁又は竪枠等に沿って上下摺動するようにしている。
【発明が解決しようとする課題】
【０００４】  特許文献１によると、二枚の引き戸にそれぞれ太さが異なる中空の手摺り棒が付けられていて、引き戸を開ける時、太い方の手摺りの中に細い手摺りが入り込むようにしてあり、そして二枚の引き戸と手摺りに係わるようにラッチが付けられている。
課題としては先ず、手摺りを取り付けるためのブラケットの引き戸の表面からの摺りの持ち出し幅であるが、戸の厚さは通常引き戸の種類によって異なることを考えると、その条件には対応できていない。ラッチについては、バネを必要とするなど構造があまりに複雑なために制作費が嵩むばかりか、此れを取り付けるために戸を切り抜く等の加工を施す必要があり、手間と加工技術が求められる。特に金属製の引き戸においては加工が極めて困難である。また、ラッチは人が手摺りに頼ったとき、引き戸を開ける動作より先に手摺りを下降させて引き戸が動かないよいにする為のもので二段動作であり、手摺りを降下させる前に引き戸が少しでも動いてしまうとラッチが掛からなくなって極めて危険である。また引き戸を外すときは、戸を持つために両方の戸を少し開けなければならないが、それによって手摺りがより深く繋がってしまい、二枚の引き戸を一緒に持つことになるので非常に困難である。
特許文献２は、人が引き戸の手前側から向こう側に移動する場合、引き戸を開ける以前に手摺りを踏み切りの遮断機のように９０度動かさなければならないので二度手間である上に、向こう側に移動した後、引き戸を閉める前にわざわざ手摺りを元の位置に戻さなければならない。また、向こう側から引き戸を開けたときには手摺りを動かしにくいものと考えられる。
その他この種類の出願は数多く成されているが、いずれの文献も構造は異なるものの特許文献１及び特許文献２と同様の欠点がある。
【課題を解決するための手段】
【０００５】  この発明は上記の課題を解消するために次のような構成としている。即ち、図１及び図４に示すように、固定板２２と回動支持体２４と係止具２６を備えたブラケット２１は固定板２２によって引き戸１の適宜な高さにビス固定していて、手摺り棒１１は基端１２の部分で前記係止具２６によってブラケット２１に固定され、且つ他端部１３は竪枠Ｂ６に設けた受け具３１の凹部３２（図５）に嵌まることによって水平に保持されてる。
【発明の作用】
【０００６】  この発明の作用を図１・図２・図３・図４・図５に基づいて詳細に説明する。
図１に示すように、引き戸１に適宜な高さを以て水平に位置させた手摺り棒１１は、基端部１２を引き戸１の開く側にブラケット２１を介して取り付け、長さは他端部１３が竪枠Ｂ６に接する迄として、その手摺り棒１１の他端部１３が、竪枠Ｂ６に接する位置に受け具３１を取りつけている。また手摺り棒１１の水平芯は回動芯２５より上に位置していことによって、  引き戸１を開ける時には以下に述べる作用を示す。
詰まり、引き戸１を開き方向（矢印Ａ）に移動するとき、図２に示すように、手摺り棒１１はその他端部１３が竪枠Ｂ６につかえて移動できないので、手摺り棒１１は回動支持体２４と共に回動芯２５を軸にして戸と逆の方向（矢印Ｂ）に回る、更に引き戸１の移動を続けると、他端部１３が竪枠Ｂ６の表面を上方向に摺動するのと共に回動支持体２４も回り続け、更に図３に示すように引き戸１を開けきったときには手摺り棒１１はほぼ垂直の状態になる。そして、引き戸１を閉めるときには、開けるときとは全く逆の動き方をして、引き戸１が完全に閉まるのと同時に他端部１３は受け具３１に納まって、再び手摺りとして使用できるようになる。
図４は前記ブラケット２１の断面図であって、引き戸１の表面にビス固定した固定板２２はその表面に回動自在の回動支持体２４を備え、その上部には係止具２６を介して手摺り棒１１をビス固定している。
図５は前記受け具３１に形成した凹部３２に手摺り棒が納まった状態を示している。
【発明の効果】
【０００７】  この発明は上記の構成によって次に述べる効果が得られる。
１．引き戸が閉まっているときは手摺り棒は手摺りとしての機能を発揮し、その状態のまま引き戸を開けることができ、閉めるときもそのまま普通に閉めるだけでよい。従って手摺り付きの引き戸でありながら、従来の引き戸と全く同じ動作で使用できるものである。
２．手摺り棒の取りつけ方がブラケットと受け具を引き戸と竪枠等にそれぞれビス固定するだけで良く、引き戸や建物への加工がないので、取り付け費用が安価な上に、素人でも簡単に取り付けることができる。
３．取り付け方法がビスのみによるので、建物の新築・既存を問うことなく殆どの引き戸に取り付けることができる。
４．左右に開く二枚引き戸の場合でも、ブラケットの係止具に手摺り棒を逆向きに付けることで左右兼用にできるので安価にて製造できる。
５，引き戸を外す場合は、戸を持つために少し開けると、それと同時に手摺り棒の他端部が受け具から離れるので一人でも容易に外すことができる。
【図面の簡単な説明】
【０００８】
【図１】本発明の引き戸を閉めた状態を表す正面図。
【図２】本発明の引き戸を少し開けた状態を表す正面図。
【図３】本発明の引き戸を開けきった状態を表す正面図。
【図４】図１のａ−ａ断面詳細図。
【図５】図１のｂ−ｂ断面詳細図。
【図６】実施例１の引き戸を閉めた状態を表す正面図。
【図７】実施例１の引き戸を開けきった状態を表す正面図。
【図８】図６のｃ−ｃ断面詳細図。
【図９】図６のｄ−ｄ断面詳細図。
【図１０】実施例２の両引き戸を開けた状態を表す正面図。
【図１１】実施例３の引き戸を閉めた状態を表す正面図。
【図１２】図１１のｅ−ｅ断面詳細図。
【符号の説明】１：引き戸            ２：引き戸Ａ      ３：取っ手            ４：敷居
５：竪枠Ａ            ６；竪枠Ｂ        ７：鴨居              ８：開口部
１１：手摺り棒        １２：基端部      １３：他端部
１４：ガイドローラー  １５：軸凸部      １６：ローラー支持体
２１：ブラケット      ２２：固定板      ２３：ビス孔          ２４：回動支持体
２５：回動芯          ２６：係止具      ２７：ビス孔
３１：受け具          ３２：凹部        ３３：ガイドレール
３４：ガイド溝        ３５：曲り部      ３６：切り欠き部      ３７：鍔部
【発明を実施するための形態】
【実施例１】
【０００９】  図６・図７・図８・図９に基づいて実施例１を詳細に説明する。
図６は縦枠Ａ５・竪枠Ｂ６・及び図示はしていないが敷居４・鴨居７から成る引き戸用の枠に一枚の引き戸１を嵌めた正面図であって、固定板２２と回動支持体２４と係止具２６を備えたブラケット２１は、固定板２２によって引き戸１の開き側の適宜な高さにビス固定していて、手摺り棒１１は基端部１２の部分で係止部２６を介してブラケット２１に固定され、他端部１３にはローラー支持体１６を介してガイドローラー１４を備えている。このガイドローラー１４にはローラーの軸を延長する形に軸凸部１５をローラー支持体１６の両側に形成している。
竪枠Ｂ６には図１に示す受け具３１に変えて、直線状のガイド溝３４と曲り部３５からなるガイドレール３３を設けている。
此のガイドレール３３は、図９の断面図に示すように内部にガイド溝３４を構成し、下端部には図６に示すように曲り部３５を形成すると共に、上方に延びる直線状のガイドレ−ルは、引き戸１を全開にした時、詰まりガイドローラー１４が最上部に達した時の高さを補う長さとしている。更にガイドレール３３の中央付近には引き戸１を外すときにガイドローラー１４を引き出す為の切り欠き部３６を設けている。そしてガイド溝３４の幅は、曲り部３５の部分で下に向うに従って微妙に狭くしてあり、その幅は前記ガイドローラー１４の先端と軸凸部１５距離に合わせて、ガイドローラーと軸凸部が丁度嵌まるものとしている。
このガイドローラー１４と軸凸部１５を同一部材で兼用しても良く、更にガイドローラーと軸凸部とローラー支持体１６を一体に構成して一つのユニットとし、このユニッを手摺り棒の他端部に装着固定ができるようにすると、手摺り棒の長さを切り詰める等の調整も可能になる。
上記の構成による実施例１には次に述べる効果がある。
１．手摺り棒の他端部に設けたガイドローラーの働きによって、引き戸の開閉に伴う上下の動きが極めて滑らかにすることができる。更に、手摺りの水平方向の移動に対してガイドローラーは上下方向の動きであるから、ローラーと言えども引き戸の初動時には多少の抵抗が生じるが、ガイド溝の下端部に形成した曲り部によって引き戸の初動時の抵抗を殆ど無くすことができる。
２．引き戸を閉め切った状態のとき、手摺棒の他端部の可動方向は曲り部の角度、詰まり斜め上の方向のみであって、この方向以外に手摺り棒が動くことはない。普通人が手摺りに頼ったとき、手摺りに掛かる力は主に下方向であって、力が斜め上の方向に働くとは考えにくい。従って意図的に斜め上の方向に動かそうとしないかぎり、手摺り棒が動くことはないので、通常手摺りを使用する時は極めて安全である上に、そのままの姿勢で取っ手を引けば引き戸を開けることができる。
【実施例２】
【０００１０】  図１０に基づいて実施例２を詳細に説明する。
この実施例は、二枚の引き戸を中央から両側に向けて引き分けていて、病院や養護施設等に多く用いられているが、この方法によると、廊下の壁に付けられた手摺りが部屋への出入口の部分だけ付いていない。そして手摺りが無い部分の長さは最短でも２メートルに及ぶ。そこでこの実施例は、実施例１の構成のまま左右対象に使い分けたものでブラケット・手摺り棒・ガイドレールの各部材は左右の勝手が決められていないので、ガイドレールはそのまま逆に使用すれば良く、手摺り棒はその基端部を逆向きにして係止具の上に固定すると左右対称になり、２メートルに及ぶ引き戸の部分にも手摺りを付けることができる。
また、この構成によると左右対称の場合でも、同一の部品をそのまま使用できるので、製造単価が上がることはない。
【実施例３】
【０００１１】  図１１・図１２に基づいて実施例３を詳細に説明する。
この実施例は、図１１に示すようにガイドレール３３の周部に鍔部３７を直線的に形成したもので、図１２に示すように、ガイドレール３３そのものを鍔部３７と曲がり部３５を残して竪枠Ｂの中に埋め込むと、出っ張りが少なくなる分引き戸を開けたときの開口が、広くなる上に、拭き掃除もし易く、デザイン的にも優れたものになる。
また、デザインの面から考えて、ブラケットの係止具を無くし、手摺り棒と回動支持体を一体に形成することも可能である。
【図１】
2010216217.tif 000003
【図２】
2010216217.tif 000004
【図３】
2010216217.tif 000005
【図４】
2010216217.tif 000006
【図５】
2010216217.tif 000007
【図６】
2010216217.tif 000008
【図７】
2010216217.tif 000009
【図８】
2010216217.tif 000010
【図９】
2010216217.tif 000011
【図１０】
2010216217.tif 000012
【図１１】
2010216217.tif 000013
【図１２】
2010216217.tif 000014